(57)【要約】      （修正有）【課題】単純な構造でありながら、水素ガスを高感度に選択的に検知可能な水素ガスセンサ及び水素ガス検知方法を提供する。【解決手段】酸化物イオン伝導性と電子伝導性の両方を備える金属酸化物として酸化セリウムのみで構成されたガス感応層２と、ガス感応層２に接続された検知電極とを備えたガス検知素子１と、検知電極が検知したガス感応層２の抵抗値の変化に基づいて、酸素分圧が一定である検知空間で水素ガスを検知する検知回路１０を備えた水素ガスセンサ１００であって、検知回路１０は、酸素分圧と水素分圧の分圧比の変化に応じて変化するガス感応層２の抵抗値の変化に基づいて水素ガスを検知する検知部を備えている。【選択図】図２
2015194407.tif 000002
【特許請求の範囲】
【請求項１】
ガス感応部と、前記ガス感応部に接続された検知電極とを備えたガス検知素子と、
前記検知電極が検知した前記ガス感応部の抵抗値の変化に基づいて、酸素分圧が一定である検知空間で水素ガスを検知する検知回路を備えた水素ガスセンサであって、
前記ガス感応部は、酸化物イオン伝導性と電子伝導性の両方を備える金属酸化物のみで構成され、
前記検知回路は、前記酸素分圧と水素分圧の分圧比の変化に応じて変化する前記ガス感応部の抵抗値の変化に基づいて前記水素ガスを検知する検知部を備えていることを特徴とする水素ガスセンサ。
【請求項２】
前記検知回路は、
予め前記分圧比に対応する水素ガス濃度テーブルが格納された濃度記憶部と、
前記分圧比に基づいて検知した水素ガスの濃度を算出する濃度算出部を備えていることを特徴とする請求項１に記載の水素ガスセンサ。
【請求項３】
酸素分圧が一定である検知空間で水素ガスを検知する水素ガス検知方法であって、
前記検知空間に酸化物イオン伝導性と電子伝導性の両方を備える金属酸化物のみで構成されたガス感応部と前記ガス感応部に接続された検知電極とを備えたガス検知素子の、前記検知電極が検知した前記ガス感応部の抵抗値を検知する工程と、
前記抵抗値の変化に基づいて、水素ガスを検知する工程を備えていることを特徴とする水素ガス検知方法。
【発明の詳細な説明】
【技術分野】
【０００１】
本発明は、ガス感応部と、前記ガス感応部に接続された検知電極とを備えたガス検知素子と、前記検知電極が検知した前記ガス感応部の抵抗値の変化に基づいて、水素ガスを検知する検知回路を備えた水素ガスセンサ及び水素ガス検知方法に関する。
【背景技術】
【０００２】
従来より、水素は、常温で無色・無味・無臭で、ガスの中でも最も軽い気体であり、拡散性・還元性に優れる等の性質を持つことから、半導体産業、エレクトロニクス産業、化学産業等の分野や、宇宙ロケットの燃料用等の宇宙工学の分野で広く使用されている。
このような分野において、水素は、効率の観点から液化させた状態で輸送、貯蔵することが行われている。しかし、液体水素の沸点は−２５０℃以下と低いため、周囲環境の熱により容易に気化してしまう。これを防止するために、液体水素のタンクは、液体水素の容器の周囲に、真空断熱層を備えた構造となっている。また、さらに真空断熱層の外殻に窒素もしくは液体窒素が充填された三重殻構造のタンクもある。
【０００３】
水素は空気よりも熱伝導率が約７倍と高く、熱を伝え易いので、前記真空断熱層に前記容器内の液体水素が微量でも漏洩したら、気化した水素によって前記真空断熱層の断熱性能が低下し、前記容器に外部の熱が伝導されて、前記容器内の液体水素が気化（ボイルオフ）する虞がある。
このような虞を回避するために、前記真空断熱層への水素の漏洩を早期に検知して、水素の漏洩があった場合には前記真空断熱層の排気を行う等の手段を早急に講じる必要がある。
【０００４】
一方、前記真空断熱層にタンク外の空気等が流入した場合の対策はそれほど急を要さない。なぜなら前記容器の外壁は極低温であり、外部から微量の空気の流入があったとしても、前記外壁で液化されるので、前記真空断熱層の断熱性能が急激に低下することはないからである。
【０００５】
液体水素のボイルオフの危険を早期に回避する観点から前記真空断熱層内で、すなわち真空中で水素ガスを選択的に検知する技術が求められている。
また、宇宙輸送分野や有人宇宙飛行分野でも安全性を高めるために宇宙空間で、すなわち真空中で水素ガスを選択的に検知する技術が求められている。
なお、これらの用途では、大気圧から１×１０-3Ｔｏｒｒの圧力範囲で水素ガスを選択的に検知することを求められている。
【０００６】
一般的なガスセンサとしては、接触燃焼式ガスセンサ、半導体式ガスセンサ、ＭＯＳＦＥＴ型ガスセンサ等がある。しかし、これらのガスセンサは、素子の表面での水素ガスのような還元性ガスの酸化反応を利用する原理であるため、真空中、すなわち低酸素分圧の環境下では機能しない。
その他のガスセンサとして、超音波式ガスセンサ、気体熱伝導式ガスセンサ、紫外線レーザーを光源に用いてラマン散乱を利用する方式のガスセンサがある。しかし、超音波式ガスセンサは、真空中では超音波が伝播しない。気体熱伝導式ガスセンサは、０．１Ｔｏｒｒ以下の圧力範囲では、気体分子の平均自由行程が素子サイズよりも大きくなってしまい、気体分子による素子の熱移動効率が低下してしまう。紫外線レーザーを光源に用いてラマン散乱を利用する方式のものでは、真空中は分子密度が低く、散乱強度が低下してしまう。つまり、いずれも真空中での使用に適したものではない。
【０００７】
一方、真空中の気体分子（ガス）を検知するものとして真空計がある。
真空計は、機械的な現象に基づいて圧力を測定する隔膜式真空計等、気体の輸送現象に基づいて圧力を測定するピラニ真空計、熱電対式真空計等、気体の電離現象に基づいて圧力を測定するペニング真空計、電離真空計、質量分析計等と、圧力を測定する原理によって分類されており、各真空計は、それぞれの原理に基づいて計測可能な圧力範囲が限定され、用途・目的に応じて使い分けられている。なお、各真空計の原理と特徴は一般的に良く知られた技術であるため、先行技術文献は記載しない。
【０００８】
しかし、これらの真空計は気相中のガス分子の密度を捕らえてはいるが、質量分析計を除けばガスの種類を区別して検知するものではない。また、質量分析計は、使用できる圧力範囲が、１×１０-5Ｔｏｒｒ以下の高真空の圧力範囲に限定される。
【０００９】
以上説明のように、１台でさまざまな圧力範囲において水素ガスを選択的に検知できるセンサは存在しない。
【発明の概要】
【発明が解決しようとする課題】
【００１０】
本発明は、上記課題に鑑みてなされたものであり、単純な構造でありながら、圧力に依存せずにさまざまな圧力範囲で、水素ガスを高感度に選択的に検知可能な水素ガスセンサ及び水素ガス検知方法を提供することを目的とする。
【課題を解決するための手段】
【００１１】
上記課題を解決するため、本発明による水素ガスセンサの第一の特徴構成は、ガス感応部と、前記ガス感応部に接続された検知電極とを備えたガス検知素子と、前記検知電極が検知した前記ガス感応部の抵抗値の変化に基づいて、酸素分圧が一定である検知空間で水素ガスを検知する検知回路を備えた水素ガスセンサであって、前記ガス感応部は、酸化物イオン伝導性と電子伝導性の両方を備える金属酸化物のみで構成され、前記検知回路は、前記酸素分圧と水素分圧の分圧比の変化に応じて変化する前記ガス感応部の抵抗値の変化に基づいて前記水素ガスを検知する検知部を備えている点にある。
【００１２】
発明者の鋭意研究によって、酸化セリウムやイットリア安定化ジルコニアのような、酸化物イオン伝導性と電子伝導性の両方の性質を持つ混合伝導性の金属酸化物と被検知ガスである水素ガスとの間では、前記金属酸化物のバルク中の格子酸素が水素ガスに供給されるバルク制御型の反応が進行し、前記金属酸化物の抵抗値が低抵抗の状態となる特性が見出された。
【００１３】
酸化物イオン伝導性と電子伝導性の両方の性質を持つ混合伝導性の金属酸化物の一例である酸化セリウムは、不定比化合物であり、周囲の酸素濃度（分圧）に応じて結晶格子内の酸素を吸蔵・放出する特性を持ち、検知空間中に酸素を放出することで生じる酸素空孔が酸化物イオンの移動を促して、電子伝導性が変化する。
【００１４】
このとき、検知空間に水素ガスのような還元性の高い物質が存在すると、水素ガスの吸着によって酸化セリウムの電荷移動が容易になって電子伝導性が飛躍的に変化する。酸化セリウムの表面に水素ガスが吸着すると水素ガスと酸化セリウムの結晶格子内の酸素空孔が酸素原子を引き合うことで見かけ上酸素空孔が増加して、電子の移動が容易となるからである。
【００１５】
このように、酸化セリウムのように酸化物イオン伝導性と電子伝導性の両方の性質を持つ混合伝導性の金属酸化物は、水素ガスとの接触によって生じた酸化物イオンの移動が電子伝導性に反映されるので、ガス検知素子のガス感応部として都合がよい。
【００１６】
つまり、前記金属酸化物のみを成分としてガス感応部を構成したガス検知素子に検知回路を接続し、前記検知回路に備えた検知部で、酸素分圧と水素分圧の分圧比の変化に応じて変化する前記ガス感応部の抵抗値の変化をモニタすることで、検知空間の水素ガスを検知することができる。
以上のように、単純な構造でありながら、水素ガスを高感度に選択的に検知可能な水素ガスセンサが実現できる。
【００１７】
同第二の特徴構成は、前記検知回路は、予め前記分圧比に対応する水素ガス濃度テーブルが格納された濃度記憶部と、前記分圧比に基づいて検知した水素ガスの濃度を算出する濃度算出部を備えている点にある。
【００１８】
一定の分圧で酸素が存在する検知空間での、水素分圧比に対する抵抗値の傾きは、酸素分圧比の影響を受ける。つまり、抵抗値と、水素分圧／酸素分圧との間には比例関係がある。従って、濃度記憶部に、予め前記分圧比に対応する水素ガス濃度テーブルを持っておくことで、前記ガス感応部の抵抗値の変化から水素ガス濃度を算出することができる。
【００１９】
本発明による水素ガス検知方法の特徴構成は、酸素分圧が一定である検知空間で水素ガスを検知する水素ガス検知方法であって、前記検知空間に酸化物イオン伝導性と電子伝導性の両方を備える金属酸化物のみで構成されたガス感応部と前記ガス感応部に接続された検知電極とを備えたガス検知素子の、前記検知電極が検知した前記ガス感応部の抵抗値を検知する工程と、前記抵抗値の変化に基づいて、水素ガスを検知する工程を備えている点にあり、上記ガス検知方法によれば、圧力に依存せずにさまざまな圧力範囲において水素ガスを選択的に検知できるようになった。
【図面の簡単な説明】
【００２０】
【図１】ガス検知素子の説明図
【図２】水素ガスセンサの説明図
【図３】ヒータ制御回路の説明図
【図４】真空中のセンサ温度とセンサ抵抗値との関係を示すグラフ
【図５】気圧とヒータ電流値及びヒータ温度との関係を示すグラフ
【図６】実験装置の説明図
【図７】各気体の気圧とセンサ抵抗との関係を示すグラフ
【図８】各気圧における水素分圧とセンサ抵抗値との関係を示すグラフ
【図９】各酸素分圧における水素分圧とセンサ抵抗値との関係を示すグラフ
【図１０】各酸素分圧における水素分圧と酸素分圧の分圧比とセンサ抵抗値との関係を示すグラフ
【図１１】大気圧下で酸素濃度が異なる場合の水素濃度とセンサ抵抗値との関係を示すグラフ
【発明を実施するための形態】
【００２１】
以下、本発明の実施形態を図面に基づいて説明する。
【００２２】
図１は、本発明による水素ガスセンサ１００が備えるガス検知素子１の概略図である。
ガス検知素子１は、絶縁基板３の上面に形成された一対の検知電極４ａ、４ｂと、検知電極４ａ、４ｂを被覆するように設けられた酸化物イオン伝導性と電子伝導性の両方を備える金属酸化物の一例である酸化セリウムのみを成分として構成されるガス感応層２と、絶縁基板３の下面には薄膜ヒータ５を備え、検知電極４が検知したガス感応層２の抵抗値の変化に基づいて、被検知ガスとしての水素ガスを検知するものである。
【００２３】
絶縁基板３は、従来の基板型のガス検知素子に用いられるものが好ましく適用でき、その大きさ、形状等は特に限定されない。また、絶縁基板３の材質は、絶縁体であればよく、例えば、アルミナ、シリカ、ガラス等が適用できる。中でもアルミナを絶縁基板３として用いることは、その表面は完全な平滑ではなく、ナノオーダーの凹凸を有するため、アンカー効果により検知電極４ａ、４ｂや薄膜ヒータ５との接合を強固にすることができ、好ましい。
【００２４】
検知電極４ａ、４ｂは、従来のガス検知素子に用いられるものが好ましく適用できる。検知電極４ａ、４ｂの形状は特に限定されない。図１には一対の櫛型検知電極４ａ、４ｂを設けた例を図示したが、これ以外にも平行平板型、螺旋型等の任意の形状を採用することができる。また、検知電極４ａ、４ｂの材質についても、特に制限されるものではなく、例えば、白金や金等の貴金属、白金パラジウム合金等を蒸着等によって設けることができる。特に白金は非常に耐久性に優れた材料であり、検知電極４ａ、４ｂに好ましく適用することができる。
【００２５】
本実施形態において、一対の検知電極４ａ、４ｂの間の電極間距離は、５から１００μｍとされる。ガス感応層２を構成する酸化セリウムは、高抵抗な材料であるので、従来のガス検知素子１に比べて電極間距離が短く設定されている。
【００２６】
ガス感応層２は、酸化セリウムのみを成分として構成され、一対の検知電極４ａ、４ｂを被覆するように設けられている。なお、ガス感応層２は、酸化物イオン伝導性と電子伝導性の両方の性質を持つ混合伝導性の金属酸化物であればよく、例えばイットリア安定化ジルコニアのみを成分として構成してもよい。
【００２７】
ガス感応層２の厚みは、１０から１００μｍの範囲に設定されている。ガス感応層２の厚みが薄い方が、水素ガスとガス感応層２を構成する金属酸化物との間の反応に伴うガス感応層２の抵抗値の変化が、より検知電極に近い位置で起こるため、水素ガスに対する感度を高くすることができるが、ガス感応層２の厚みを１０μｍより薄くしすぎると、均一な膜形成が困難となる。一方、ガス感応層２の厚みを１００μｍより厚くすると、膜中の内部応力の偏在と加熱ストレスによりクラックなどが発生しやすくなり、ガス感応層２内での導電性が低下するという問題が生じ得る虞がある。従って、ガス感応層の厚みを１０から１００μｍとすることにより、感度及び耐久性のいずれをも向上させることができる。
【００２８】
本実施形態では、ガス検知素子１は、アルミナセラミックス製の絶縁基板３の上面に白金薄膜製の櫛型検知電極４ａ、４ｂを、下面に薄膜ヒータ５をスパッタ法で成膜し、検知電極４ａ、４ｂ上に酸化セリウムを塗布・焼結することで一体的に製造される。
このように製造されたガス検知素子１は小型・低消費電力であり、同一空間にガス検知素子１を複数備える冗長設計が可能となる。例えば、複数のガス検知素子１のうち、一つをメインのガス検知素子１とし、他をメインのガス検知素子１の健全性を評価するために用いることができる。また、このようなガス検知素子１を真空断熱層等の真空中に設置する場合は、ガス検知素子１の故障時の取替えが困難であるため、ガス検知素子１を、予めスペアとして複数個設置することもできる。
【００２９】
酸化物イオン伝導性と電子伝導性の両方を備える金属酸化物である酸化セリウムは、不定比化合物であり、周囲の酸素濃度（分圧）に応じて結晶格子内の酸素を吸蔵・放出する特性を持ち、検知空間中に酸素を放出することで生じる酸素空孔が酸化物イオンの移動を促して、電子伝導性が変化する。
このとき、検知空間に水素ガスのような還元性の高い物質が存在した場合、ガス感応層２に水素ガスが到達すると酸化セリウムの電荷移動が容易になって電子伝導性が飛躍的に変化する。
【００３０】
酸化セリウムと水素ガスとの間の反応は、いわゆるバルク制御型と言われる反応機構で進行する。このバルク制御型の反応機構によれば、水素ガスとの反応がガス感応層２の表面にとどまらず、バルクにまで及ぶ。つまり、従来のガスセンサとしてよく知られている半導体式ガスセンサのように水素ガスがガス感応層２の表面に存在する吸着酸素と反応するのではなく、水素ガスが酸化セリウムのみを成分とするガス感応層２のバルク中に存在する格子酸素と反応する。この反応でバルク中に生じる酸素欠陥が拡散することにより、ガス感応層２の中を電子が流れる。
【００３１】
酸化セリウム表面に水素ガスが吸着すると水素ガスと酸化セリウムの結晶格子内の酸素空孔が酸素原子を引き合うことで見かけ上酸素空孔が増加して、ガス感応層２の中で電子の移動が容易となり、つまりガス感応層２の抵抗値が低抵抗の状態となる。
【００３２】
上記のような特性に基づくと、酸化セリウムの酸化物イオン伝導性と電子伝導性は、水素ガスとの接触によって生じた酸化物イオンの移動が電子伝導性に反映されるので、ガス検知素子１の材料として都合がよい。このように、単純な構造でありながら、圧力に依存せずにさまざまな圧力範囲で、水素ガスを高感度に選択的に検知可能なガス検知素子１が実現できる。
【００３３】
図２は、ガス検知素子１、検知回路１０及びヒータ制御回路２０を備えた水素ガスセンサ１００を示している。
検知回路１０は、ガス検知素子１と直列に接続された負荷抵抗Ｒ０と、ガス検知素子１と負荷抵抗Ｒ０に所定の動作電圧を印加する電源部Ｅと、負荷抵抗Ｒ０に並列に接続され、負荷抵抗Ｒ０に印加される動作電圧を検知する電圧計Ｖとを備えている。
上述のように、ガス検知素子１は、検知空間に水素ガスが存在すると、抵抗値が低抵抗となる。従って、電圧計Ｖによって、負荷抵抗Ｒ０に印加される動作電圧を検知することで、ガス検知素子１の抵抗値、または出力の変化を間接的に算出することができる。
【００３４】
薄膜ヒータ５は、ガス検知素子１の動作温度を維持するために設けられている。
薄膜ヒータ５の材質は、特に制限されるものではなく、例えば、白金や金等の貴金属、白金パラジウム合金等を蒸着等によって設けることができる。特に白金は非常に耐久性に優れた材料であり、薄膜ヒータ５に好ましく適用することができる。
【００３５】
図３は、薄膜ヒータ５のヒータ制御回路２０を示している。ヒータ制御回路２０は、ガス検知素子１の温度が２００℃から１０００℃の範囲、好ましくは、４００℃から６５０℃の範囲の所定温度となるように薄膜ヒータ５を制御する。
【００３６】
ガス感応層２を構成する酸化セリウムの電子易動度はガス検知素子１の動作温度に依存し、ガス検知素子１を高温で動作させるほど、動作抵抗値は下がり電子伝導性は上がる。しかし、ガス検知素子１の動作温度が１０００℃より高いと、酸化物イオンの易動度が上がりすぎ、電子伝導性が良くなりすぎて、水素を検知したときの変化幅が十分でなくなるから好ましくない。
一方、ガス感応層２を構成する酸化セリウムの耐熱性を考慮すると、ガス検知素子１を低温で動作させるほど、動作抵抗値は上がり電子伝導性は下がるが、寿命は延びる。しかし、ガス検知素子１の動作温度が２００℃より低いと、酸化物イオンの易動度が制限され、電子伝導性が低下しすぎてしまうので好ましくない。
【００３７】
図４は、１．２×１０-4Ｔｏｒｒの真空中において、水素ガスが存在する場合と、存在しない場合のガス検知素子１の動作温度と動作抵抗値との関係を示している。
図４からわかるように、水素ガスが存在する場合では、動作抵抗値の変化比は、動作温度が低いほど大きくなる傾向がある。また、寿命の観点からも、上記のように４００℃から６５０℃の温度範囲が好ましく採用される。
【００３８】
ところで、検知空間の気圧が変化すると、気体の熱伝導効果が変化するため、ガス検知素子１の温度は変化する。
図５は、気圧とヒータ電流及びヒータ温度との関係を示している。
図５に示されるように、検知空間の気圧が下がると、薄膜ヒータ５の動作温度は上がる。これは、圧力が低いほど熱移動の媒体となる気体分子が減るからである。逆に、検知空間の気圧が上がると、薄膜ヒータ５の動作温度は下がる。これは、圧力が高いほど熱移動の媒体となる気体分子が増えるからである。従って、薄膜ヒータ５の動作温度をモニタすることで検知空間の気圧変化が検知できる。
【００３９】
換言すると、気圧の変化に応じて薄膜ヒータ５の動作温度が変化しないように、薄膜ヒータ５の動作抵抗値が一定となるように動作させるとすると、検知空間の気圧が下がると、薄膜ヒータ５の動作電流は少なくてよい。逆に、検知空間の気圧が上がると、薄膜ヒータ５の動作電流は増える。つまり、薄膜ヒータ５の動作電流値の変化をモニタし、別途設けた、検知空間の温度を計測する温度センサと併用して環境温度の補正を行うことで、検知空間の気圧の変化が検知できることになる。なお、薄膜ヒータ５に印加される動作電圧値をモニタしてもよい。
なお、別途併用する温度センサには、サーミスタや測温抵抗体のほか、ガス検知素子１の絶縁基板３と、同じ絶縁基板３を密閉容器内に空気または不活性ガスなどと封入したものも適用することができる。この場合、ガス検知素子１と温度センサの温度特性が近くなるため、補正が容易となる。
【００４０】
図３に戻り、ヒータ制御回路２０には、薄膜ヒータ５の動作抵抗値を一定に保つために、ホイートストンブリッジを備えたフィードバック回路が用いられる。
ホイートストンブリッジを構成する抵抗Ｒ１と抵抗Ｒ３とは同じ抵抗値であり、抵抗Ｒ２と薄膜ヒータ５とは同じ抵抗値である。
これら抵抗の両端の非平衡電圧をオペアンプＡ１に差動入力し、出力をパワートランジスタＴＲ１のエミッタフォロワで受け、薄膜ヒータ５の抵抗値が常に抵抗Ｒ２と同じ値になるようにホイートストンブリッジに印加する動作電圧を自動的に調節する。
なお、薄膜ヒータ５に印加される動作電流または動作電圧値をモニタするモニタ部としては、薄膜ヒータ５に並列に接続された電圧計や、薄膜ヒータ５に直列に接続された電流計が用いられる。
【００４１】
以上のように構成された、ガス検知素子１、検知回路１０、ヒータ制御回路２０を備えた水素ガスセンサ１００を用いて、真空中での水素ガスの検知に関する各種実験を行った。
実験にあたり、図６に示すような、真空チャンバ３０を用意した。
真空チャンバ３０は約３０Ｌの容量を有し、周囲には水素、酸素、窒素を夫々真空チャンバ３０内に供給するためのリークバルブ３１，３２、ベントバルブ３３、真空チャンバ３０内を真空にするための真空ポンプ３４が備えられ、内部にガス検知素子１が設置されている。
【００４２】
まず、真空中に水素ガスが存在する場合と存在しない場合のガス検知素子１の抵抗値の様子を確認する実験を行った。
【００４３】
該実験では、真空チャンバ３０内に空気を供給した後に、真空ポンプ３４を起動し約１×１０2Ｔｏｒｒから１×１０-5Ｔｏｒｒまで減圧したときのガス検知素子１の抵抗値ＲAと、真空チャンバ３０内に酸素を供給した後に、真空ポンプ３４を起動し約１Ｔｏｒｒから１×１０-5Ｔｏｒｒまで減圧したときのガス検知素子１の抵抗値ＲOと、真空チャンバ３０内に窒素を供給した後に、真空ポンプ３４を起動し約１Ｔｏｒｒから１×１０-5Ｔｏｒｒまで減圧したときのガス検知素子１の抵抗値ＲNと、真空チャンバ３０内に水素ガスを供給した後に、真空ポンプ３４を起動し約１Ｔｏｒｒから１×１０-5Ｔｏｒｒまで減圧したときのガス検知素子１の抵抗値ＲHを取得した。その結果を図７に示す。
【００４４】
図７からわかるように、真空中では、抵抗値ＲAは徐々に低下していることがわかる。これは、周囲の酸素濃度（分圧）に応じてガス感応層２を構成する酸化セリウムの結晶格子内の酸素が放出され、その結果生じる酸素空孔が酸化物イオンの移動が促された結果だと考えられる。
同様の傾向は、真空チャンバ３０内に酸素を供給したときの抵抗値ＲO、及び窒素を供給したときの抵抗値ＲNでも確認できた。なお、抵抗値ＲA、抵抗値ＲO、抵抗値ＲNの比較から、ガス感応層２は酸素にも応答していることがわかる。
一方、真空チャンバ３０内に水素ガスを供給したときの抵抗値ＲHは、抵抗値ＲA、抵抗値ＲO、抵抗値ＲNに比べて、約１／１００以下まで大きく低下し、この傾向は、真空チャンバ３０内が１×１０-5Ｔｏｒｒまで減圧するまで維持されることが確認できた。
これは、ガス感応層２を構成する酸化セリウムの表面で水素ガスが酸化しているのではなく、酸化セリウムへの水素ガスの吸着によって格子内酸素が引き付けられて、酸素空孔の移動が容易になった結果だと考えられる。
【００４５】
上述のようにガス感応層２を構成する酸化セリウムの電子伝導性は、環境中の酸素に影響される。そこで、水素分圧に対する抵抗値特性の酸素の影響評価を目的として、真空チャンバ３０内に窒素を供給し、無酸素下で水素分圧比を変化させたときの電気抵抗値の傾向を確認する実験を行った。
【００４６】
該実験では、真空ポンプ３４を起動しながら真空チャンバ３０内にリークバルブ３１から窒素を供給し、所定の平衡圧力（１×１０-2Ｔｏｒｒ）に調整した。
次に、リークバルブ３２から水素ガスを段階的に所定の条件（水素分圧比約１％、約４％、５１％、８３％）となるように供給し、圧力が安定したときの抵抗値を取得した。
異なる圧力条件（１×１０-3Ｔｏｒｒ、１×１０-4Ｔｏｒｒ）についても夫々同様の実験を行った。なお、平衡圧力が１×１０-3Ｔｏｒｒであるときは、リークバルブ３２から水素ガスを段階的に所定の条件（水素分圧比３．８％、３５％、６６％、８３％）となるように供給し、圧力が安定したときの抵抗値を取得した。また、平衡圧力が１×１０4Ｔｏｒｒであるときは、リークバルブ３２から水素ガスを段階的に所定の条件（水素分圧比９％、３３％、５３％、６８％、８０％）となるように供給し、圧力が安定したときの抵抗値を取得した。その結果を図８に示す。
【００４７】
図８からわかるように、無酸素状態である窒素バランス環境下では、水位分圧比が低くても、水素ガスが存在しない場合に比べて、抵抗値の大きな変化が確認される。そして、水素分圧比に対する抵抗値は、１×１０-2Ｔｏｒｒ、１×１０-3Ｔｏｒｒ、１×１０-4Ｔｏｒｒの各圧力条件にかかわらず略一致し、酸素が存在しなければ、高感度に水素ガスに反応していることがわかる。
なお、１×１０-3Ｔｏｒｒの圧力条件のデータをもとに近似式で外挿により求めた水素ガスの検知限界濃度は、１０００ｐｐｍ以下と見積もられる。
酸化セリウムのみを成分として構成されたガス感応層２を備えるガス検知素子１では、真空中では、水素ガスの吸着に伴う電子伝導度変化を利用するため、高感度に水素ガスを検知することができる。
【００４８】
次に、一定の真空環境下での、酸素分圧比の違いが、水素ガスの検知に与える影響を確認する実験を行った。
抵抗値への酸素分圧比の影響評価を目的として、真空チャンバ３０内に窒素と異なる分圧比となるように酸素を供給し、各酸素分圧比において水素分圧比を変化させたときの電気抵抗値の傾向を確認する実験を行った。
【００４９】
該実験では、真空ポンプ３４を起動しながら真空チャンバ３０内にリークバルブ３１から各酸素濃度（酸素分圧比１％、５％、１０％、５０％）の窒素を供給して、所定の平衡圧力（１×１０-3Ｔｏｒｒ）に調整した。
次に、リークバルブ３２から水素ガスを段階的に所定の条件となるように供給し、圧力が安定したときの抵抗値を取得した。その結果を図９に示す。
【００５０】
図９からわかるように、各酸素分圧比の環境下での水素ガスに対する抵抗値を比較した結果、水素分圧比に対する抵抗値の傾きは、酸素分圧比の影響を受けることが確認された。
【００５１】
そこで、図１０に示すように、抵抗値と、水素分圧／酸素分圧との相関を確認すると、両者は比例関係にあることが確認された。つまり、抵抗値は、水素分圧と酸素分圧の分圧比に依存することがわかる。
【００５２】
図９と図１０に示した結果から、一定温度に保たれたガス感応層２の抵抗値は、全圧には依存せずに酸素分圧と水素分圧によって決まることがわかる。全圧に依存しないのであれば、大気圧下でも同様の抵抗変化が得られることになる。そこで、大気圧下での抵抗値と水素濃度の関係を確認する実験を行った。実験方法は、窒素バランス中で酸素濃度（分圧）が０．１％または１．０％になるように調整し、そこに水素を注入して水素濃度（分圧）を変化させたときの抵抗値を取得した。その結果を図１１に示す。
【００５３】
図１１からわかるように、水素濃度と抵抗値との関係は、水素濃度がある閾値を境に急激に変化する特性を持ち、酸素濃度が高い方が抵抗値が急激に低下するときの水素濃度も高くなることがわかる。この抵抗値が急激に低下して以降の水素濃度が高い領域の特性は、1×１０-2Ｔｏｒｒの真空中で確認した傾向と一致しており、大気圧でも同様の特性を示すことの裏づけとなる。この結果より抵抗値は、環境中の酸素分圧（濃度）と水素分圧（濃度）によって決まり、全圧には依存しないことがわかる。
【００５４】
検知回路１０に備えた電圧計Ｖをモニタすることによって、酸素分圧と水素分圧の分圧比の変化に応じて変化するガス感応層２の抵抗値の変化に基づいて水素ガスを検知することができる。即ち電圧計Ｖが検知部を構成する。
【００５５】
さらに、検知回路１０に、予め前記分圧比に対応する水素ガス濃度テーブルが格納された濃度記憶部と、前記分圧比に基づいて水素ガス濃度を算出する濃度算出部を備えておくと、前記分圧比に基づいて水素ガス濃度を算出することができる。
【００５６】
ところで、検知空間の気圧に応じて、ガス感応層２の抵抗値は変化する。例えば、大気中では、真空中であるときよりガス感応層２の抵抗値は高い。従って、センサに直列に配置する負荷抵抗が同じ抵抗値であると、電圧計Ｖによりモニタされる電圧の変化幅が異なり、水素ガスの検知が困難になる。
そこで、ガス検知素子１と直列に接続された負荷抵抗Ｒ０として可変型のものを採用しておき、真空中と大気中とで検知回路１０の負荷抵抗Ｒ０の抵抗値を切り替えることで、電圧計Ｖによって検知する電圧の変化幅を変更することができる。
例えば、真空中であるときは１ｋΩに変更し、大気中であるときは５００ｋΩに変更することで、０から４％ｖｏｌ％の範囲で水素を精度良く検知することができる。
【００５７】
負荷抵抗Ｒ０の抵抗値の切替のトリガとなる気圧の変化は、薄膜ヒータ５のヒータ制御回路２０に連動させることができる。
つまり、薄膜ヒータ５に並列に接続された電圧計や、薄膜ヒータ５に直列に接続された電流計をモニタすることで、気圧の変化が検知できる。
【００５８】
このように検知された気圧の変化に基づいて、負荷抵抗Ｒ０の抵抗値を切り替える抵抗切替部を備え、該抵抗切替部によって、負荷抵抗Ｒ０の抵抗値の切替のトリガとなる所定の気圧閾値、例えば１Ｔｏｒｒに対応する電流値や電圧値を予め設定しておき、前記電流値や電圧値が、気圧が前記所定の気圧閾値未満であることを示すと抵抗値を下げ、所定の気圧閾値以上であることを示すと抵抗値を上げるように制御すればよい。なお、所定の気圧閾値は一つでもよいし、複数であってもよい。気圧に応じて好ましい抵抗値を算出しておき、検知空間の気圧に応じて、前記抵抗値を変化させることで、常に被検知ガスの検知感度を最適なものに調整することができる。
【００５９】
以上のように、単純な構造でありながら、圧力に依存せずにさまざまな圧力範囲で、水素ガスを高感度に選択的に検知可能な水素ガスセンサ及び水素ガス検知方法が実現できる。
【００６０】
上述した実施形態は、いずれも本発明の一例であり、該記載により本発明が限定されるものではなく、各部の具体的構成は本発明の作用効果が奏される範囲で適宜変更設計可能であることはいうまでもない。
【符号の説明】
【００６１】
１          ガス検知素子
２          ガス感応層（ガス感応部）
３          絶縁基板
４          検知電極
１０        検知回路
２０        ヒータ制御回路
１００      水素ガスセンサ
【図１】
2015194407.tif 000003
【図２】
2015194407.tif 000004
【図３】
2015194407.tif 000005
【図４】
2015194407.tif 000006
【図５】
2015194407.tif 000007
【図６】
2015194407.tif 000008
【図７】
2015194407.tif 000009
【図８】
2015194407.tif 000010
【図９】
2015194407.tif 000011
【図１０】
2015194407.tif 000012
【図１１】
2015194407.tif 000013